(57)【特許請求の範囲】
【請求項１】
第１のコンテンツが提供される施設において収集された観客の情報を取得する取得部と、
前記取得部によって取得された情報に基づいて、前記観客の携帯端末に、前記第１のコンテンツに関連する第２のコンテンツを配信する配信部と、
前記第１のコンテンツの提供中に、当該第１のコンテンツを見ている観客が発した音が所定の音量以上か否かを測定する測定部と
を備え、
前記配信部は、
前記第１のコンテンツの提供中に、前記測定部によって観客が発した音が所定の音量以上であると測定されたことを条件に、前記第２のコンテンツを配信する
ことを特徴とする配信装置。
【請求項２】
第１のコンテンツが提供される施設において収集された観客の情報を取得する取得部と、
前記取得部によって取得された情報に基づいて、前記観客の携帯端末に、前記第１のコンテンツに関連する第２のコンテンツを配信する配信部と
を備え、
前記取得部は、
前記第１のコンテンツの提供中に、前記施設内に設けられたセンサ、または、前記携帯端末が内蔵するセンサの少なくともいずれかから、当該第１のコンテンツを見ている観客の情報を取得し、
前記配信部は、
前記取得部によって取得された情報に基づいて、前記第１のコンテンツの提供中に、前記観客の所定割合以上が、所定の動作を行ったことを条件に、前記第２のコンテンツを配信する
ことを特徴とする配信装置。
【請求項３】
所定期間毎に異なる内容の第１のコンテンツが提供される施設において収集された観客の情報を取得する取得部と、
前記取得部によって取得された情報に基づいて、前記観客の携帯端末に、前記第１のコンテンツに関連する第２のコンテンツを配信する配信部と
備え、
前記配信部は、
観客が見た第１のコンテンツの内容を示す履歴情報を参照して、同一内容の前記第１のコンテンツを見た回数が所定回数以上である複数の観客を特定し、特定した複数の観客の携帯端末のそれぞれへ、当該複数の観客の情報を前記第２のコンテンツとして配信する
ことを特徴とする配信装置。
【請求項４】
コンピュータが、
第１のコンテンツが提供される施設において収集された観客の情報を取得する取得工程と、
前記取得工程によって取得された情報に基づいて、前記観客の携帯端末に、前記第１のコンテンツに関連する第２のコンテンツを配信する配信工程と、
前記第１のコンテンツの提供中に、当該第１のコンテンツを見ている観客が発した音が所定の音量以上か否かを測定する測定工程と
を実行し、
前記配信工程は、
前記第１のコンテンツの提供中に、前記測定工程によって観客が発した音が所定の音量以上であると測定されたことを条件に、前記第２のコンテンツを配信する
ことを特徴とする配信方法。
【請求項５】
コンピュータが、
第１のコンテンツが提供される施設において収集された観客の情報を取得する取得工程と、
前記取得工程によって取得された情報に基づいて、前記観客の携帯端末に、前記第１のコンテンツに関連する第２のコンテンツを配信する配信工程と
を実行し、
前記取得工程は、
前記第１のコンテンツの提供中に、前記施設内に設けられたセンサ、または、前記携帯端末が内蔵するセンサの少なくともいずれかから、当該第１のコンテンツを見ている観客の情報を取得し、
前記配信工程は、
前記取得工程によって取得された情報に基づいて、前記第１のコンテンツの提供中に、前記観客の所定割合以上が、所定の動作を行ったことを条件に、前記第２のコンテンツを配信する
ことを特徴とする配信方法。
【請求項６】
コンピュータが、
所定期間毎に異なる内容の第１のコンテンツが提供される施設において収集された観客の情報を取得する取得工程と、
前記取得工程によって取得された情報に基づいて、前記観客の携帯端末に、前記第１のコンテンツに関連する第２のコンテンツを配信する配信工程と
を実行し、
前記配信工程は、
観客が見た第１のコンテンツの内容を示す履歴情報を参照して、同一内容の前記第１のコンテンツを見た回数が所定回数以上である複数の観客を特定し、特定した複数の観客の携帯端末のそれぞれへ、当該複数の観客の情報を前記第２のコンテンツとして配信する
ことを特徴とする配信方法。
【請求項７】
コンピュータに、
第１のコンテンツが提供される施設において収集された観客の情報を取得する取得手順と、
前記取得手順によって取得された情報に基づいて、前記観客の携帯端末に、前記第１のコンテンツに関連する第２のコンテンツを配信する配信手順と、
前記第１のコンテンツの提供中に、当該第１のコンテンツを見ている観客が発した音が所定の音量以上か否かを測定する測定手順と
を実行させ、
前記配信手順は、
前記第１のコンテンツの提供中に、前記測定手順によって観客が発した音が所定の音量以上であると測定されたことを条件に、前記第２のコンテンツを配信する
ことを特徴とするプログラム。
【請求項８】
コンピュータに、
第１のコンテンツが提供される施設において収集された観客の情報を取得する取得手順と、
前記取得手順によって取得された情報に基づいて、前記観客の携帯端末に、前記第１のコンテンツに関連する第２のコンテンツを配信する配信手順と
を実行させ、
前記取得手順は、
前記第１のコンテンツの提供中に、前記施設内に設けられたセンサ、または、前記携帯端末が内蔵するセンサの少なくともいずれかから、当該第１のコンテンツを見ている観客の情報を取得し、
前記配信手順は、
前記取得手順によって取得された情報に基づいて、前記第１のコンテンツの提供中に、前記観客の所定割合以上が、所定の動作を行ったことを条件に、前記第２のコンテンツを配信する
ことを特徴とするプログラム。
【請求項９】
コンピュータに、
所定期間毎に異なる内容の第１のコンテンツが提供される施設において収集された観客の情報を取得する取得手順と、
前記取得手順によって取得された情報に基づいて、前記観客の携帯端末に、前記第１のコンテンツに関連する第２のコンテンツを配信する配信手順と
を実行させ、
前記配信手順は、
観客が見た第１のコンテンツの内容を示す履歴情報を参照して、同一内容の前記第１のコンテンツを見た回数が所定回数以上である複数の観客を特定し、特定した複数の観客の携帯端末のそれぞれへ、当該複数の観客の情報を前記第２のコンテンツとして配信する
ことを特徴とするプログラム。
【発明の詳細な説明】
【技術分野】
【０００１】
本発明は、配信装置、配信方法、およびプログラムに関する。
【背景技術】
【０００２】
下記の特許文献１には、スーパーやショッピングモールなどに設置され、各種の案内や広告などをディスプレイに表示するデジタルサイネージにおいて、商品やキャンペーンの情報をユーザが携帯するモバイル端末へ無線通信により自動的に配信するサイネージ装置が開示されている。下記の特許文献２には、映画に先立って上映される広告のスケジューリング方法について開示されている。
【先行技術文献】
【特許文献】
【０００３】
【特許文献１】特開２０１３−８０１２３号公報
【特許文献２】特表２００７−５０５３９３号公報
【発明の概要】
【発明が解決しようとする課題】
【０００４】
ところで、街に設置されたディスプレイに表示された広告は、不特定多数の人の目に触れる可能性はあるが、全ての人がその広告に注目しているわけではない。そのため、例えば、広告が表示されたディスプレイの周辺を通りかかったというだけで、その通行人のモバイル端末に商品やキャンペーンの情報が配信されたとしても、その商品等の情報は見てもらえない場合が多い。
【０００５】
そこで、この発明は、上述した従来技術の課題を解決するためになされたものであり、所定のコンテンツを見たまたは見る予定の人に、当該コンテンツに関連する他のコンテンツを提供することを目的とする。
【課題を解決するための手段】
【０００６】
上記課題を解決するための本発明の第一の態様は、例えば、第１のコンテンツが提供される施設において収集された観客の情報を取得する取得部と、前記取得部によって取得された情報に基づいて、前記観客の携帯端末に、前記第１のコンテンツに関連する第２のコンテンツを配信する配信部とを備える。
【０００７】
また、本発明の第二の態様は、例えば、コンピュータが、第１のコンテンツが提供される施設において収集された観客の情報を取得する取得工程と、前記取得工程において取得した情報に基づいて、前記観客の携帯端末に、前記第１のコンテンツに関連する第２のコンテンツを配信する配信工程とを実行する。
【０００８】
また、本発明の第三の態様は、例えば、コンピュータに、第１のコンテンツが提供される施設において収集された観客の情報を取得する取得手順と、前記取得手順において取得した情報に基づいて、前記観客の携帯端末に、前記第１のコンテンツに関連する第２のコンテンツを配信する配信手順とを実行させる。
【発明の効果】
【０００９】
本発明によれば、所定のコンテンツを見たまたは見る予定の人に、当該コンテンツに関連する他のコンテンツを提供することができる。
【図面の簡単な説明】
【００１０】
【図１】図１は、第１の実施形態における配信システムの一例を示すシステム構成図である。
【図２】図２は、第１の実施形態における配信装置の一例を示すブロック図である。
【図３】図３は、配信コンテンツ記憶部に記憶されているクーポンテーブルのデータ構造の一例を示す図である。
【図４】図４は、配信コンテンツ記憶部に記憶されているアンケートテーブルのデータ構造の一例を示す図である。
【図５】図５は、属性情報記憶部に記憶されている観客情報テーブルのデータ構造の一例を示す図である。
【図６】図６は、属性情報記憶部に記憶されている属性情報テーブルのデータ構造の一例を示す図である。
【図７】図７は、属性情報記憶部に記憶されている対応テーブルのデータ構造の一例を示す図である。
【図８】図８は、第１の実施形態における配信装置の動作の一例を示すフローチャートである。
【図９】図９は、第２の実施形態における配信システムの一例を示すシステム構成図である。
【図１０】図１０は、第２の実施形態における配信装置の一例を示すブロック図である。
【図１１】図１１は、履歴情報記憶部に記憶される履歴テーブルのデータ構造の一例を示す図である。
【図１２】図１２は、第２の実施形態における配信装置の動作の一例を示すフローチャートである。
【図１３】図１３は、配信装置の機能を実現するコンピュータの一例を示すハードウェア構成図である。
【発明を実施するための形態】
【００１１】
（第１の実施形態）
まず、本願に係る配信装置、配信方法、およびプログラムにおける第１の実施形態について図面を参照しつつ詳細に説明する。なお、以下の実施形態により本願に係る配信装置、配信方法、およびプログラムが限定されるものではない。
【００１２】
［配信システム１０の構成］
図１は、第１の実施形態における配信システム１０の一例を示すシステム構成図である。配信システム１０は、配信装置２０を備える。配信装置２０は、コンテンツが提供される施設において観客１３の情報を取得し、その施設内でコンテンツを見た観客１３の携帯端末１７に、当該コンテンツに関連する他のコンテンツを配信する。配信装置２０は、施設内に設けられていてもよく、施設の外部に設けられていてもよい。本実施形態において、携帯端末１７は、例えば、観客１３によって利用される携帯型ＰＣ（Personal  Computer）、ＰＤＡ（Personal  Digital  Assistant）、スマートフォン等である。
【００１３】
ここで、本実施形態において、施設とは、例えば映画館である。また、本実施形態において、施設において提供されるコンテンツとは、例えば施設内のスクリーンで上映される映画および広告である。また、本実施形態において、観客１３の携帯端末１７に配信されるコンテンツとは、例えば、上映された映画や広告に関するアンケート、上映された広告で紹介された商品やサービス、または、上映された映画に登場した商品やサービスのクーポン等である。
【００１４】
なお、施設やコンテンツは、これらに限られない。他の形態として、施設は、例えば、演劇場、コンサートホール、球場、または競技場等であってもよく、施設において提供されるコンテンツは、例えば、演劇、コンサート、試合、またはこれらの映像等であってもよい。
【００１５】
観客１３は、映画館内において映画を見るためのチケットをチケットカウンター１６で購入したり、予め購入していたチケットの情報を着券装置１１に入力して、上映室１４内の座席を決めたりする。そして、観客１３は、目的の映画が上映される上映室１４内へ移動し、そこで上映される映画や広告を見る。
【００１６】
チケットカウンター１６や着券装置１１には、カメラ１２が設置されている。カメラ１２は、観客１３の顔等を撮影し、撮影した観客１３の画像のデータを、通信回線を介して配信装置２０へ送信する。なお、カメラ１２は、観客１３の動画像を撮影し、撮影した動画像のデータを、通信回線を介して配信装置２０へ送信してもよい。
【００１７】
配信装置２０は、属性毎に、当該属性を有する観客１３の携帯端末１７に配信するコンテンツを予め記憶している。配信装置２０は、カメラ１２から受信した観客１３の画像に基づいて、それぞれの観客１３の年齢層や性別等の属性を特定する。そして、配信装置２０は、特定した属性毎に、当該属性を有する観客１３の携帯端末１７に配信するコンテンツを特定する。なお、配信装置２０は、カメラ１２から受信した観客１３の画像に基づいて、例えば、観客１３がグループで来場しているか否かを判定し、グループで来場している場合には、画像から一緒に来ているグループの属性（例えば、男性のみ等）を判定し、判定した属性の該当する観客１３に配信するコンテンツを特定してもよい。
【００１８】
上映室１４には、マイク１５が設置されている。マイク１５は、映画や広告がスクリーンに上映されている間に観客１３が発する音を収集し、収集した音のデータを、通信回線を介して配信装置２０へ送る。
【００１９】
配信装置２０は、マイク１５から受信した音のデータに基づいて、映画や広告がスクリーンに上映されている間に観客１３が発した音が所定の音量以上か否かを判定する。観客１３が発した音が所定の音量以上であった場合に、配信装置２０は、上映室１４内での映画の上映終了後に、属性毎に特定したコンテンツを、その属性を有する観客１３の携帯端末１７にそれぞれプッシュ通知する。
【００２０】
ここで、観客１３は、映画館で上映される映画を見るために来場しているため、スクリーンで上映されている映画に注目する。そのため、観客１３は、映画に先立ってスクリーンで上映される広告にも注目する可能性が高い。
【００２１】
また、上映室１４内では、照明が暗く、静かにすることが求められる。また、上映室１４内では、携帯端末１７の操作も制限されることが多い。そのため、上映室１４内の観客１３は、スクリーンに注目する以外のことを行うことが難しい。従って、家庭のテレビで映画や広告を見る人に比べて、上映室１４内の観客１３は、スクリーンで上映されている広告や映画に注目する可能性が高い。
【００２２】
配信装置２０は、上映室１４内で広告や映画を見た観客１３に対して、当該広告や映画に関連するコンテンツを配信する。これにより、配信されたコンテンツが、上映された広告や映画のアンケートであれば、配信装置２０は、意味のあるアンケート結果を得ることができる。また、配信されたコンテンツが、上映された広告や映画に登場した商品等のクーポンであれば、配信装置２０は、クーポンの使用率を高めることができる。
【００２３】
また、自宅で広告や映画を見た人の携帯端末１７にクーポンを配布したとしても、そのクーポンが、オンラインで使用されるものではなく、実店舗で使用されるものであると、その人は、クーポンを使うには、わざわざ外出する必要がある。外出するためには、化粧をしたり、服を着替えるなどの面倒な作業が発生する場合がある。
【００２４】
これに対し、映画館に来た観客１３は、既に外出しているため、化粧や着替えなどの作業は済ませている。そのため、観客１３は、映画を観終わった後は、クーポンを使用するために、実店舗に気軽に移動することができる。この点においても、配信装置２０は、配信されたクーポンの使用率を高めることができる。
【００２５】
［配信装置２０の構成］
図２は、第１の実施形態における配信装置２０の一例を示すブロック図である。配信装置２０は、例えば図２に示すように、配信コンテンツ記憶部２１、属性情報記憶部２２、取得部２３、測定部２４、および配信部２５を有する。
【００２６】
図３は、配信コンテンツ記憶部２１に記憶されているクーポンテーブル２１０のデータ構造の一例を示す図である。クーポンテーブル２１０には、例えば図３に示すように、それぞれのクーポンデータ２１２を識別するクーポンＩＤ２１１に対応付けて、クーポンデータ２１２が格納されている。図３には、「Ｋ００１」のクーポンＩＤ２１１に対応付けて、「クーポン１」のクーポンデータ２１２が格納されているクーポンテーブル２１０が例示されている。
【００２７】
それぞれのクーポンデータ２１２は、例えば、上映室１４でスクリーンに上映された広告で紹介された商品やサービスのクーポン、上映室１４でスクリーンに上映された映画に登場した商品やサービスのクーポン等である。なお、クーポンとは、商品を購入する際、または、サービスを利用する際に用いられる優待券や、割引券などである。
【００２８】
図４は、配信コンテンツ記憶部２１に記憶されているアンケートテーブル２１５のデータ構造の一例を示す図である。アンケートテーブル２１５には、例えば図４に示すように、それぞれのアンケートデータ２１７を識別するアンケートＩＤ２１６に対応付けて、アンケートデータ２１７が格納されている。それぞれのアンケートデータ２１７は、上映室１４内のスクリーンに上映された広告や映画に関するアンケートである。図４には、「Ｑ００１」のアンケートＩＤ２１６に対応付けて、「アンケート１」のアンケートデータ２１７が格納されているアンケートテーブル２１５が例示されている。
【００２９】
ここで、本実施形態において、広告は、本編である映画に先立ってスクリーンに上映される。そして、スクリーンに上映された広告は、家庭のテレビに表示される場合よりも、観客１３が注目している可能性が高い。そのため、広告を見た可能性の高い観客１３の携帯端末１７にアンケートデータをプッシュ通知することで、配信装置２０は、広告を見た可能性の高い観客１３から、広告に関するアンケートの回答を得ることができる。
【００３０】
なお、図３に例示したそれぞれのクーポンデータ２１２、および、図４に例示したそれぞれのアンケートデータ２１７には、上映された広告、映画に登場した商品やサービスに関する広告等が含まれていてもよく、映画の解説や特典映像など、映画に付随する情報が含まれていてもよい。また、上映される映画や広告が異なれば、配信されるクーポンやアンケートの内容も異なる。そのため、図３に例示したクーポンテーブル２１０および図４に例示したアンケートテーブル２１５は、上映室１４内で上映される広告および映画の組み合わせ毎に配信コンテンツ記憶部２１内に設けられる。
【００３１】
図５は、属性情報記憶部２２に記憶されている観客情報テーブル２２０のデータ構造の一例を示す図である。観客情報テーブル２２０には、例えば図５に示すように、それぞれの観客１３を識別する観客ＩＤ２２１に対応付けて、当該観客１３の画像２２２、当該観客１３の観客情報２２３、および当該観客１３が所有する携帯端末１７を識別する端末ＩＤ２２４が格納される。
【００３２】
図５には、「Ａ００１」の観客ＩＤ２２１に対応付けて、観客１３の画像２２２、観客１３の観客情報２２３、および「abcdefg」の端末ＩＤ２２４が格納され、観客情報２２３として、「男」の性別、「２５」の年齢、および「東京」の居住エリア等が格納されている観客情報テーブル２２０が例示されている。
【００３３】
観客情報テーブル２２０内のデータは、例えば、観客１３の携帯端末１７等から、通信回線を介して予め取得されて観客情報テーブル２２０内に格納される。また、この他に、映画館内のチケットカウンター１６において、観客１３から情報を聞き取ったり、観客１３の画像を撮影することで、チケットの販売員等がオンライン端末を介して観客情報テーブル２２０内にデータを登録してもよく、インターネット上で公開されている観客１３のプロフィール情報等が収集されて観客情報テーブル２２０内に登録されてもよい。
【００３４】
図６は、属性情報記憶部２２に記憶されている属性情報テーブル２２５のデータ構造の一例を示す図である。属性情報テーブル２２５には、例えば図６に示すように、それぞれの属性情報２２７を識別する属性ＩＤ２２６に対応付けて、属性情報２２７が格納されている。図６には、「Ｐ００１」の属性ＩＤ２２６に対応付けて、属性情報２２７が格納され、属性情報２２７として、「男」の性別、「２０代前半」の年齢層、および「東京」の居住エリア等が格納されている属性情報テーブル２２５が例示されている。
【００３５】
図７は、属性情報記憶部２２に記憶されている対応テーブル２２８のデータ構造の一例を示す図である。対応テーブル２２８には、例えば図７に示すように、１つ以上の属性ＩＤ２２９に対応付けて、クーポンＩＤ２３０およびアンケートＩＤ２３１が格納される。図７には、「Ｐ００１、Ｐ１０１、・・・」の属性ＩＤ２２９に対応付けて、「Ｋ００１」のクーポンＩＤ２３０と、「Ｑ００１」のアンケートＩＤ２３１とが格納されている対応テーブル２２８が例示されている。
【００３６】
図２に戻って説明を続ける。取得部２３は、カメラ１２から観客１３の画像のデータを受信した場合に、受信した画像のデータを配信部２５へ送る。
【００３７】
測定部２４は、広告および映画を含むコンテンツの上映時間中において、上映室１４内のマイク１５から観客１３が発した音のデータを受信し、観客１３の音が所定の音量以上であるか否かを判定する。音が所定の音量以上であると判定した場合、測定部２４は、その旨を配信部２５に通知する。なお、広告や映画の音声と観客１３が発した音とを区別するために、測定部２４は、例えば、マイク１５から受信した音のデータから広告や映画の音のデータを差し引いたデータに基づいて、観客１３が発した音が所定の音量以上であるか否かを判定する。
【００３８】
ここで、広告や映画を見ている観客１３が悲鳴や笑い声をあげた場合には、その観客１３は、広告や映画の内容を楽しんでいると考えられる。そのような観客１３が上映室１４内に多く存在すると、上映室１４内のマイク１５において収集される音の音量が大きくなる。
【００３９】
なお、すすり泣く音や、笑い声、悲鳴など、観客１３の反応の種類が異なれば、広告や映画を楽しんでいる人の数が多くても上映室１４内で収集される観客１３の音の音量が小さい場合がある。そのため、上映室１４内のマイク１５から収集された観客１３の音が所定の音量以上か否かの判断に用いられる閾値は、広告や映画の内容に合わせて設定されることが好ましい。
【００４０】
また、測定部２４は、１つの広告や１つの映画の中でも、観客１３の反応が得られると予想される部分毎に、異なる閾値を用いて、上映室１４内のマイク１５から収集された観客１３の音が所定の音量以上か否かを判定してもよい。
【００４１】
また、上映室１４内で収集される音は、観客１３が発した声に限らず、観客１３が行った拍手や手拍子、足拍子、楽器などによって生じる音であってもよい。
【００４２】
配信部２５は、取得部２３から観客１３の画像のデータを受け取った場合に、属性情報記憶部２２内の観客情報テーブル２２０を参照し、受け取った画像のデータに対応付けられている観客１３の観客情報および端末ＩＤを抽出する。そして、配信部２５は、属性情報テーブル２２５を参照して、抽出した観客情報が含まれる属性情報に対応付けられている属性ＩＤを特定する。
【００４３】
次に、配信部２５は、対応テーブル２２８を参照して、特定した属性ＩＤに対応付けられているクーポンＩＤおよびアンケートＩＤを特定する。そして、配信部２５は、特定したクーポンＩＤおよびアンケートＩＤを、観客情報テーブル２２０から抽出した端末ＩＤに対応付けて保持する。
【００４４】
また、配信部２５は、クーポンデータの配信を制御するためのクーポンフラグを保持しており、広告および映画を含むコンテンツの上映時間中において、観客１３が発した音が所定の音量以上である旨を測定部２４から通知された場合に、クーポンフラグをＯＮにする。なお、クーポンフラグは、初期状態ではＯＦＦになっている。
【００４５】
そして、コンテンツの上映が終了した場合、配信部２５は、配信コンテンツ記憶部２１内のアンケートテーブル２１５を参照して、それぞれの観客１３の端末ＩＤに対応付けて保持していたアンケートＩＤに対応するアンケートデータを、観客１３の端末ＩＤ毎に抽出する。そして、配信部２５は、観客１３の端末ＩＤ毎に抽出したアンケートデータを、当該端末ＩＤに対応する携帯端末１７へプッシュ通知する。
【００４６】
また、コンテンツの上映が終了した場合に、保持しているクーポンフラグがＯＮであれば、配信部２５は、配信コンテンツ記憶部２１内のクーポンテーブル２１０を参照して、それぞれの観客１３の端末ＩＤに対応付けて保持していたクーポンＩＤに対応するクーポンデータを、観客１３の端末ＩＤ毎に抽出する。そして、配信部２５は、アンケートデータと共に、観客１３の端末ＩＤ毎に抽出したクーポンデータを、当該端末ＩＤに対応する携帯端末１７へプッシュ通知する。
【００４７】
このように、映画の上映中に上映室１４内で収集された音が所定の音量以上である場合に、クーポンデータ等の特典を観客１３の携帯端末１７にプッシュ通知することにより、配信装置２０は、上映されるコンテンツをより楽しもうとする動機を観客１３に与えることができ、上映されるコンテンツを観客１３により楽しんでもらうことができる。また、上映室１４内で試合等の中継を複数の観客１３で見る場合には、配信装置２０は、観客１３同士の一体感を高めることができる。
【００４８】
また、配信装置２０は、それぞれの観客１３の属性毎に予め定められたクーポンやアンケート等のコンテンツを、該当する属性の観客１３の携帯端末１７に配信する。例えば、２０代前半の男性であれば、車に関するクーポンやアンケート、３０代後半の女性であれば、化粧品に関するクーポンやアンケートを配信する。これにより、配信装置２０は、配信されたクーポンの使用率や、アンケートの回答の精度を高めることができる。
【００４９】
また、配信装置２０は、カメラ１２から取得した観客１３の画像のデータを用いて、それぞれの観客１３の属性を特定するため、観客１３に負担をかけることなく観客１３の属性を特定することができる。
【００５０】
なお、映画の上映中は、観客１３は、携帯端末１７の電源を切り、上映の終了と共に携帯端末１７の電源を入れる場合がある。そして、上映終了直後に電源が投入された場合、携帯端末１７は、それまで受信されなかったプッシュ通知を一気に受信することになる。そうすると、クーポンデータやアンケートデータのプッシュ通知が、他のプッシュ通知に埋もれてしまう可能性がある。そのため、配信部２５は、コンテンツの上映が終了してから所定時間（例えば１０分）が経過した場合に、端末ＩＤ毎に抽出したクーポンデータおよびアンケートデータをプッシュ通知することが好ましい。このとき、配信部２５によってプッシュ通知されたアンケートデータ等は、コンテンツの上映が終了してから所定時間が経過した時点で観客１３の携帯端末１７がまだ映画館内にあれば、例えば映画館内の無線通信基地局等を介して観客１３の携帯端末１７に送られ、観客１３の携帯端末１７が映画館の外にあれば、例えば公衆通信網の無線基地局等を介して観客１３の携帯端末１７に送られる。
【００５１】
また、配信部２５は、映画館や上映室１４等の施設内にいる観客１３の属性情報に基づいて、それぞれの観客１３の携帯端末１７に配信するアンケートデータ等を特定しておき、当該施設に設けられた劇場端末から、アンケートデータ等の配信要求を受信したことをトリガーに、特定したアンケートデータ等を、それぞれの観客１３の携帯端末１７に配信してもよい。映画館や上映室１４等の施設に設けられた劇場端末は、例えば、コンテンツの本編である映画の終了後に、アンケートデータ等の配信要求を配信装置２０へ送信する。
【００５２】
また、配信部２５は、映画の上映終了後に、観客１３の携帯端末１７に電源が投入されたことをトリガーとして、端末ＩＤ毎に抽出したクーポンデータやアンケートデータをプッシュ通知してもよい。また、配信部２５は、映画の上映終了後に、観客１３の移動（離席）を検出したことをトリガーとして、端末ＩＤ毎に抽出したクーポンデータやアンケートデータをプッシュ通知するようにしてもよい。配信部２５は、例えば観客１３の携帯端末１７に内蔵されているセンサ等によって検出された携帯端末１７の位置の変化から、観客１３の離席を検出してもよい。
【００５３】
また、配信部２５は、広告および映画を含むコンテンツの上映開始前、１つ以上の広告の上映終了後かつ映画の上映開始前、または、映画の上映中に、端末ＩＤ毎に抽出したクーポンデータやアンケートデータをプッシュ通知してもよい。広告および映画を含むコンテンツの上映開始前では、配信部２５は、クーポンフラグの状態にかかわらず、クーポンデータの配信を行う。
【００５４】
なお、配信部２５は、クーポンデータやアンケートデータに代えて、上映された広告、映画に登場した商品やサービスに関する広告、映画の解説や特典映像など、広告および映画に関連する情報をプッシュ通知するようにしてもよい。
【００５５】
［配信装置２０の動作］
図８は、第１の実施形態における配信装置２０の動作の一例を示すフローチャートである。
【００５６】
まず、取得部２３は、カメラ１２から観客１３の画像のデータを取得したか否かを判定する（Ｓ１００）。観客１３の画像のデータを受信した場合（Ｓ１００：Ｙｅｓ）、取得部２３は、受信した画像のデータを配信部２５へ送る。
【００５７】
配信部２５は、属性情報記憶部２２内の観客情報テーブル２２０を参照して、取得部２３から受け取った観客１３の画像のデータに対応付けられている観客情報および端末ＩＤを抽出する。そして、配信部２５は、属性情報テーブル２２５を参照して、抽出した観客情報が含まれる属性情報に対応付けられている属性ＩＤを特定する（Ｓ１０１）。
【００５８】
次に、配信部２５は、対応テーブル２２８を参照して、特定した属性ＩＤに対応付けられているクーポンＩＤおよびアンケートＩＤを特定する（Ｓ１０２）。そして、配信部２５は、特定したクーポンＩＤおよびアンケートＩＤを、観客情報テーブル２２０から抽出した端末ＩＤに対応付けて保持する。そして、取得部２３は、ステップＳ１００に示した処理を実行する。
【００５９】
取得部２３が観客１３の画像のデータを受信していない場合（Ｓ１００：Ｎｏ）、測定部２４は、広告および映画を含むコンテンツが上映中か否かを判定する（Ｓ１０３）。配信部２５は、例えば、コンテンツの上映スケジュールと、現在時刻とに基づいて、コンテンツが上映中か否かを判定する。コンテンツが上映中ではない場合（Ｓ１０３：Ｎｏ）、配信部２５は、ステップＳ１０６に示す処理を実行する。
【００６０】
一方、コンテンツが上映中である場合（Ｓ１０３：Ｙｅｓ）、測定部２４は、上映室１４内のマイク１５から観客１３が発した音のデータを受信し、所定以上の音量であるか否かを判定する（Ｓ１０４）。所定以上の音量である場合（Ｓ１０４：Ｙｅｓ）、測定部２４は、その旨を配信部２５に通知する。配信部２５は、保持しているクーポンフラグをＯＮにし（Ｓ１０５）、取得部２３は、ステップＳ１００に示した処理を実行する。
【００６１】
一方、所定未満の音量である場合（Ｓ１０４：Ｎｏ）、配信部２５は、広告および映画を含むコンテンツの上映が終了したか否かを判定する（Ｓ１０６）。配信部２５は、例えば、コンテンツの上映スケジュールと、現在時刻とに基づいて、コンテンツの上映が終了したか否かを判定する。コンテンツの上映が終了していない場合（Ｓ１０６：Ｎｏ）、取得部２３は、ステップＳ１００に示した処理を実行する。
【００６２】
一方、コンテンツの上映が終了した場合（Ｓ１０６：Ｙｅｓ）、配信部２５は、保持しているクーポンフラグがＯＮであるか否かを判定する（Ｓ１０７）。
【００６３】
クーポンフラグがＯＮである場合（Ｓ１０７：Ｙｅｓ）、配信部２５は、配信コンテンツ記憶部２１内のアンケートテーブル２１５を参照して、それぞれの観客１３の端末ＩＤに対応付けて保持していたアンケートＩＤに対応するアンケートデータを、観客１３の端末ＩＤ毎に抽出する。また、配信部２５は、配信コンテンツ記憶部２１内のクーポンテーブル２１０を参照して、それぞれの観客１３の端末ＩＤに対応付けて保持していたクーポンＩＤに対応するクーポンデータを、観客１３の端末ＩＤ毎に抽出する（Ｓ１０８）。
【００６４】
一方、クーポンフラグがＯＮではない場合（Ｓ１０７：Ｎｏ）、配信部２５は、配信コンテンツ記憶部２１内のアンケートテーブル２１５を参照して、それぞれの観客１３の端末ＩＤに対応付けて保持していたアンケートＩＤに対応するアンケートデータを、観客１３の端末ＩＤ毎に抽出する（Ｓ１０９）。
【００６５】
次に、配信部２５は、コンテンツの上映が終了してから所定時間が経過したか否かを判定する（Ｓ１１０）。コンテンツの上映が終了してから所定時間が経過した場合（Ｓ１１０：Ｙｅｓ）、配信部２５は、保持しているクーポンフラグがＯＮであるか否かを判定する（Ｓ１１１）。
【００６６】
クーポンフラグがＯＮである場合（Ｓ１１１：Ｙｅｓ）、配信部２５は、端末ＩＤ毎に抽出したクーポンデータおよびアンケートデータを、当該端末ＩＤに対応する携帯端末１７へプッシュ通知し（Ｓ１１２）、配信装置２０は、本フローチャートに示す動作を終了する。
【００６７】
一方、クーポンフラグがＯＮではない場合（Ｓ１１１：Ｎｏ）、配信部２５は、端末ＩＤ毎に抽出したアンケートデータを、当該端末ＩＤに対応する携帯端末１７へプッシュ通知し（Ｓ１１３）、配信装置２０は、本フローチャートに示す動作を終了する。
【００６８】
以上、第１の実施形態について説明した。
【００６９】
上記説明から明らかなように、本実施形態の配信装置２０によれば、広告や映画等の所定のコンテンツを見たまたは見る予定の人に、当該コンテンツに関連するアンケートやクーポン等の他のコンテンツを提供することができる。
【００７０】
（第２の実施形態）
次に、本願に係る配信装置、配信方法、およびプログラムにおける第２の実施形態について図面を参照しつつ詳細に説明する。
【００７１】
［配信システム１０の構成］
図９は、第２の実施形態における配信システム１０の一例を示すシステム構成図である。なお、以下に説明する点を除き、図９において、図１と同じ符号を付した構成は、図１における構成と同一または同様の機能を有するため説明を省略する。
【００７２】
本実施形態において、観客１３の携帯端末１７に配信されるコンテンツとは、例えば、施設において提供された同一のコンテンツを見た他の観客１３の情報等である。
【００７３】
チケットカウンター１６や着券装置１１には、カメラ１２が設置されている。カメラ１２は、観客１３の顔等を撮影し、撮影した観客１３の画像のデータを、通信回線を介して配信装置２０へ送信する。この場合、カメラ１２は、撮影した観客１３が見る映画を識別するコンテンツＩＤ等を含む映画情報も併せて配信装置２０へ送信する。カメラ１２が着券装置１１に設置されている場合、カメラ１２は、例えば入力されたチケットの情報を着券装置１１から取得し、取得した情報に基づいて観客１３が見る映画情報を特定する。また、カメラ１２がチケットカウンター１６に設置されている場合、カメラ１２は、例えば販売員が操作端末に入力した情報を当該操作端末から取得し、取得した情報に基づいて観客１３が見る映画情報を特定する。
【００７４】
配信装置２０は、それぞれの観客１３の画像、年齢、性別、連絡先等の観客情報を保持している。配信装置２０は、観客１３の画像のデータと共に、映画情報を受信した場合に、保持している観客情報を参照して、観客１３を特定する。そして、配信装置２０は、特定した観客１３について、当該観客１３が見た映画、当該映画を見た日、当該映画を見た時間帯、当該映画を見た上映室１４の情報等を、履歴情報として保持する。
【００７５】
また、配信装置２０は、それぞれの観客１３が映画を見た場合に、当該映画に関する履歴情報を、それぞれの観客１３毎に蓄積する。そして、配信装置２０は、それぞれの観客１３の履歴情報を参照して、同じ日の同じ時間帯に、同じ上映室１４内で同じ映画を見た回数が、所定回数（例えば、年に３回）以上の複数の観客１３を検索する。
【００７６】
同じ日の同じ時間帯に、同じ上映室１４内で同じ映画を見た回数が、所定回数以上の複数の観客１３が検索できた場合、配信部２５は、検索された複数の観客１３のそれぞれの携帯端末１７に、検索された他の観客１３の情報をプッシュ通知する。プッシュ通知される観客１３の情報は、例えば、本人によって通知が許可された一部の観客情報であり、電子メールアドレスや電話番号等の連絡先の情報が含まれる。
【００７７】
例えば、図９に示すように、観客１３ａおよび１３ｂがそれぞれ映画を見た場合、配信装置２０は、それぞれの映画に関する履歴情報を、観客１３ａおよび１３ｂのそれぞれについて蓄積する。そして、観客１３ａおよび観客１３ｂにおいて、同じ日の同じ時間帯に、同じ上映室１４内で同じ映画を見た回数が、所定回数以上となった場合、配信装置２０は、観客１３ａの携帯端末１７ａに、観客１３ｂの情報をプッシュ通知し、観客１３ｂの携帯端末１７ｂに、観客１３ａの情報をプッシュ通知する。
【００７８】
これにより、配信装置２０は、類似した嗜好を有すると共に、類似したパターンで行動する複数の観客１３に対して、互いにコミュニケーションをとる機会を提供することができる。嗜好や行動パターンが類似した観客１３同士は、仲良くなる可能性が高い。これにより、それぞれの観客１３は、広告や映画等のコンテンツに対する印象や感想を、他の観客１３とより深く共有することができる。これにより、配信装置２０は、観客１３にとっての広告や映画等のコンテンツの印象をさらに深めさせることができる。
【００７９】
［配信装置２０の構成］
図１０は、第２の実施形態における配信装置２０の一例を示すブロック図である。本実施形態における配信装置２０は、例えば図１０に示すように、取得部２３、配信部２５、観客情報記憶部２６、および履歴情報記憶部２７を有する。なお、以下に説明する点を除き、図１０において、図２と同じ符号を付した構成は、図１における構成と同一または同様の機能を有するため説明を省略する。
【００８０】
観客情報記憶部２６には、例えば図５を用いて説明した観客情報テーブル２２０が格納されている。なお、本実施形態において、観客情報テーブル２２０内の観客情報には、それぞれの項目毎に、他の観客１３への通知を許可するか否かを示すフラグが対応付けられている。そのフラグは、観客情報に該当する本人によって設定される。
【００８１】
図１１は、履歴情報記憶部２７に記憶される履歴テーブル２７０のデータ構造の一例を示す図である。履歴テーブル２７０には、例えば図１１に示すように、それぞれの観客１３を識別する観客ＩＤ２７１毎に、個別テーブル２７２が格納される。それぞれの個別テーブル２７２には、それぞれの映画を識別するコンテンツＩＤ２７３に対応付けて、観客１３が映画を見た日２７４、観客１３が映画を見た時間帯２７５、および観客１３が映画を見た上映室１４を識別する上映室ＩＤ２７６が格納される。
【００８２】
図１１には、「Ａ００１」の観客ＩＤ２７１に個別テーブル２７２が対応付けられており、当該個別テーブル２７２には、「Ｃ００１」のコンテンツＩＤ２７３に対応付けて、「２０１３／１２／１０」の日２７４、「１５：００−１７：００」の時間帯２７５、および「Ｔ００１」の上映室ＩＤ２７６が格納されている履歴テーブル２７０が例示されている。
【００８３】
［配信装置２０の動作］
図１２は、第２の実施形態における配信装置２０の動作の一例を示すフローチャートである。
【００８４】
まず、取得部２３は、カメラ１２から観客１３の画像のデータおよび当該観客１３が見る予定の映画の映画情報を取得したか否かを判定する（Ｓ２００）。観客１３の画像のデータおよび映画情報を受信した場合（Ｓ２００：Ｙｅｓ）、取得部２３は、受信した画像のデータおよび映画情報を配信部２５へ送る。
【００８５】
配信部２５は、観客情報記憶部２６内の観客情報テーブル２２０を参照して、取得部２３から受け取った観客１３の画像のデータに対応付けられている観客ＩＤを特定する（Ｓ２０１）。そして、配信部２５は、履歴情報記憶部２７内の履歴テーブル２７０を参照して、特定した観客ＩＤに対応付けられている個別テーブル２７２を特定する。
【００８６】
そして、配信部２５は、特定した個別テーブル２７２内に、取得部２３から受け取った映画情報に含まれているコンテンツＩＤ、当該コンテンツＩＤに対応する映画を観客１３が見た日、観客１３が映画を見た時間帯、および観客１３が映画を見た上映室１４の上映室ＩＤを、履歴情報として登録する（Ｓ２０２）。そして、取得部２３は、ステップＳ２００に示した処理を実行する。
【００８７】
取得部２３が観客１３の画像のデータおよび映画情報を受信していない場合（Ｓ２００：Ｎｏ）、配信部２５は、広告および映画を含むコンテンツの上映が終了したか否かを判定する（Ｓ２０３）。コンテンツの上映が終了していない場合（Ｓ２０３：Ｎｏ）、取得部２３は、ステップＳ２００に示した処理を実行する。
【００８８】
一方、コンテンツの上映が終了した場合（Ｓ２０３：Ｙｅｓ）、配信部２５は、履歴情報記憶部２７内の履歴テーブル２７０を参照して、同じ日の同じ時間帯に、同じ施設で同じ映画を見た回数が所定回数以上の複数の観客１３を検索する（Ｓ２０４）。そのような複数の観客１３を検索できた場合、配信部２５は、検索したそれぞれの観客１３の携帯端末１７に、他の観客１３の観客情報の中で、通知が許可されている情報をプッシュ通知し（Ｓ２０５）、取得部２３は、再びステップＳ２００に示した処理を実行する。
【００８９】
なお、配信部２５は、コンテンツの上映が終了してから所定時間（例えば１０分）が経過した後に、他の観客１３の観客情報の中で、通知が許可されている情報をプッシュ通知するようにしてもよい。
【００９０】
以上、第２の実施形態について説明した。
【００９１】
（変形例）
なお、本発明は、上記した実施形態に限定されるものではなく、その要旨の範囲内で数々の変形が可能である。
【００９２】
例えば、上記した第１および第２の実施形態において、配信装置２０は、それぞれの観客１３の画像を予め取得して観客ＩＤに対応付けて記憶しているが、本発明はこれに限られない。
【００９３】
例えば、所定の情報（例えば、上映する映画や上映室１４の識別情報等）を無線ＬＡＮ等により送信するアクセスポイントを上映室１４内に設ける。観客１３の携帯端末１７には、観客１３の観客ＩＤを記憶させておき、携帯端末１７は、上映室１４内に移動してアクセスポイントから所定の情報を受信した場合に、受信した所定の情報と共に、記憶している観客ＩＤを、アクセスポイントを介して配信装置２０へ送信する。配信装置２０は、受信した観客ＩＤに基づいて、対応する観客１３の観客情報等を特定するようにしてもよい。この場合、配信装置２０内に観客１３の画像を記憶しておく必要はなく、カメラ１２を設置する必要もなくなる。
【００９４】
なお、観客１３の情報（観客１３の画像や観客ＩＤ）は、例えば、携帯端末１７内で動作している所定のアプリケーションプログラムが、映画館や上映室１４内に設けられたアクセスポイントからの電波を検出した場合に、当該アプリケーションプログラムによって、当該アクセスポイントを介して配信装置２０へ自動的に送信されてもよく、映画館や上映室１４内に入った観客１３が携帯端末１７を操作して所定のアプリケーションプログラムを起動し、当該アプリケーションプログラムを操作することによって、映画館や上映室１４内に設けられたアクセスポイントを介して配信装置２０へ送信されてもよい。
【００９５】
また、配信装置２０は、観客１３の携帯端末１７が映画館等の外部において送信した観客１３の情報に基づいて、観客１３の属性を特定し、特定した属性に対応付けられているアンケートデータ等を、映画の上映後等の所定のタイミングで当該観客１３の携帯端末１７にプッシュ通知するようにしてもよい。この場合、配信装置２０は、観客１３が映画館や上映室１４内に入る可能性が高ければ、観客１３の携帯端末１７が映画館等の外部において送信した観客１３の情報に基づいて、観客１３の属性を特定することが好ましい。配信装置２０は、例えば、観客１３の購入履歴等の情報をオンラインで収集し、例えば、観客１３が映画のチケットを既に購入済み等の場合に、当該観客１３が当該映画を上映する映画館や上映室１４内に入る可能性が高いと判定してもよい。
【００９６】
また、上記した第１の実施形態において、配信装置２０は、それぞれの観客１３の属性に応じて、当該属性に対応付けられたアンケートデータやクーポンデータを、当該属性を有する観客１３の携帯端末１７にプッシュ通知するが、本発明はこれに限られない。例えば、アクセスポイントを上映室１４内に設け、当該アクセスポイントが、上映室１４内に入室した全ての観客１３の携帯端末１７へアンケートデータやクーポンデータをプッシュ通知するようにしてもよい。この場合、アクセスポイントは、上映室１４の出口付近に設置され、上映室１４内での映画の上映が終了した場合に、アンケートデータやクーポンデータをプッシュ通知してもよい。
【００９７】
また、上記した第２の実施形態において、配信部２５は、同じ日の同じ時間帯に、同じ上映室１４内で同じ映画を見た回数が、所定回数以上の複数の観客１３の携帯端末１７に対して、他の観客１３の情報をプッシュ通知するが、本発明はこれに限られない。例えば、配信部２５は、履歴情報を参照して、所定回数以上同じ映画を見た複数の観客１３を特定し、特定した複数の観客１３のそれぞれの携帯端末１７に対して、他の観客１３の情報をプッシュ通知してもよい。この場合でも、配信装置２０は、類似した嗜好を有する複数の観客１３に対して、互いにコミュニケーションをとる機会を提供することができ、観客１３にとっての広告や映画等のコンテンツの印象をさらに深めさせることができる。
【００９８】
また、上記した第１または第２の実施形態において、配信装置２０は、観客１３の顔等の画像に基づいて、上映室１４内に入室した観客１３の観客ＩＤを特定するが、本発明はこれに限られない。例えば、配信装置２０内に目の網膜の毛細血管、指紋、手の静脈、または光彩等のパターンを、カメラ１２によって観客１３から取得し、配信装置２０内に観客ＩＤに対応付けて予め登録してあるパターンと比較することにより、上映室１４内に入室した観客１３の観客ＩＤを特定するようにしてもよい。
【００９９】
また、上記した第１の実施形態において、配信部２５は、上映室１４内で観客１３が発した音の大きさに基づいて、クーポンデータの送信の可否を判定するが、本発明はこれに限られない。例えば、上映室１４内に、上映室１４内の観客１３を撮影するカメラを設置し、配信装置２０は、広告および映画を含むコンテンツの上映中の観客１３の動作に基づいて、クーポンデータの送信の可否を判定するようにしてもよい。
【０１００】
例えば、配信装置２０は、上映室１４内の観客１３を撮影したカメラの映像を参照して、広告や映画の上映中に、上映室１４内の観客１３の中の所定割合以上が、所定の動作を行った場合に、クーポンフラグをＯＮにするようにしてもよい。なお、配信装置２０は、上映室１４内に設けられたカメラからの映像に代えて、または、当該カメラからの映像に加えて、上映室１４内に設けられたセンサや、観客１３の携帯端末１７に内蔵されているセンサ、観客１３の携帯端末１７にインストールされているプログラム等を用いて、所定の動作を行っている観客１３の割合を特定してもよい。
【０１０１】
また、配信装置２０は、例えば、上映された広告や映画の中で促された動作を行った観客１３の割合や、映画の終了後にスタンディングオベーションを行った観客１３の割合、複数の観客１３で行われたウェーブに参加した観客１３の割合、ウェーブの完成度などに基づいて、クーポンデータの送信の可否を判定するようにしてもよい。また、配信装置２０は、上映室１４内の観客１３の動作と、当該観客１３が発した音の音量とを組み合わせて、クーポンデータの送信の可否を判定するようにしてもよい。
【０１０２】
また、上記した第１の実施形態において、配信部２５は、映画の上映終了後に、アンケートデータやクーポンデータをそれぞれの観客１３の携帯端末１７にプッシュ通知するが、広告の上映が終了する都度、または、広告や映画の上映中に、アンケートデータやクーポンデータをそれぞれの観客１３の携帯端末１７にプッシュ通知してもよい。また、クーポンには、広告で紹介された飲み物や食べ物の試飲や試食ができるクーポンが含まれていてもよい。
【０１０３】
例えば、観客１３は、携帯端末１７を操作して、携帯端末１７に表示されたクーポンの使用を配信装置２０に通知する。このとき、携帯端末１７は、上映室１４内における携帯端末１７の位置を示す情報を併せて配信装置２０へ送信する。携帯端末１７は、例えば、上映室１４内に設けられた複数の電波発信源から送信されたそれぞれの電波の受信強度に基づいて、上映室１４内における携帯端末１７の位置を特定する。配信装置２０は、上映室１４の座席の位置と、携帯端末１７から送信された上映室１４内での位置情報とに基づいて、観客１３の座席を特定する。そして、配信装置２０は、映画館に設けられた端末に、クーポンの情報と、そのクーポンを使用した観客１３の座席の情報とを通知する。映画館の従業員は、通知されたクーポンで試飲可能な飲み物を、通知された座席の観客１３に提供する。
【０１０４】
また、上記した第１の実施形態において、属性情報記憶部２２内の観客情報テーブル２２０に予め格納された情報に基づいて、観客１３の属性を判定するが、本発明はこれに限られず、オンラインで収集されたそれぞれの観客１３の行動履歴もさらに用いて、観客１３の属性を判定するようにしてもよい。オンラインで収集されたそれぞれの観客１３の行動履歴とは、例えば、検索履歴、Ｗｅｂページの閲覧履歴、オンラインショッピングでの購入履歴などである。
【０１０５】
上記した第２の実施形態において、配信部２５は、同じ日の同じ時間帯に、同じ上映室１４内で同じ映画を見た回数が、所定回数以上の複数の観客１３を検索し、検索された複数の観客１３のそれぞれの携帯端末１７に、他の観客１３の情報をプッシュ通知するが、プッシュ通知する情報はこれに限られない。例えば、配信部２５は、検索された複数の観客１３の中で、２人以上のグループで使用可能なクーポンのデータを、検索されたそれぞれの観客１３の携帯端末１７にプッシュ通知してもよい。
【０１０６】
また、上記した第１または第２の実施形態において、配信部２５は、映画館内のカメラ１２が撮影した観客１３の画像に基づいて、当該観客１３の携帯端末１７の端末ＩＤを特定し、コンテンツの上映終了後に、当該端末ＩＤ宛にアンケートデータ等をプッシュ通知するが、本発明はこれに限られない。例えば、配信部２５は、コンテンツを実際に見た観客１３を特定し、特定した観客１３の携帯端末１７の端末ＩＤ宛に、アンケートデータ等をプッシュ通知するようにしてもよい。例えば、上映室１４内にそれぞれの客席を撮影するカメラを設け、配信部２５は、当該カメラからの画像を参照して、それぞれの客席に座っている観客１３の顔の向きや目線を検出し、コンテンツの上映中にスクリーンを向いていた観客１３を、当該上映室１４で上映されたコンテンツを実際に見た観客１３として特定してもよい。
【０１０７】
また、配信部２５は、例えば、コンテンツを見る予定の観客１３を特定し、特定した観客１３の携帯端末１７の端末ＩＤ宛に、アンケートデータ等をプッシュ通知するようにしてもよい。例えば、配信部２５は、上映室１４内に設けられたカメラからの画像を参照して、客席に座っているそれぞれの観客１３を特定し、コンテンツの上映開始前に客席に座っている観客１３を、当該上映室１４で上映されるコンテンツを見る予定の観客１３として特定してもよい。
【０１０８】
［ハードウェア構成］
図１３は、配信装置２０の機能を実現するコンピュータ４０の一例を示すハードウェア構成図である。コンピュータ４０は、ＣＰＵ（Central  Processing  Unit）４１、ＲＡＭ（Random  Access  Memory）４２、ＲＯＭ（Read  Only  Memory）４３、ＨＤＤ（Hard  Disk  Drive）４４、通信インターフェイス（Ｉ／Ｆ）４５、入出力インターフェイス（Ｉ／Ｆ）４６、およびメディアインターフェイス（Ｉ／Ｆ）４７を備える。
【０１０９】
ＣＰＵ４１は、ＲＯＭ４３またはＨＤＤ４４に格納されたプログラムに基づいて動作し、各部の制御を行う。ＲＯＭ４３は、コンピュータ４０の起動時にＣＰＵ４１によって実行されるブートプログラムや、コンピュータ４０のハードウェアに依存するプログラム等を格納する。
【０１１０】
ＨＤＤ４４は、ＣＰＵ４１によって実行されるプログラムおよび当該プログラムによって使用されるデータ等を格納する。通信インターフェイス４５は、通信回線を介して他の機器からデータを受信してＣＰＵ４１へ送り、ＣＰＵ４１が生成したデータを、通信回線を介して他の機器へ送信する。
【０１１１】
ＣＰＵ４１は、入出力インターフェイス４６を介して、ディスプレイやプリンタ等の出力装置、および、キーボードやマウス等の入力装置を制御する。ＣＰＵ４１は、入出力インターフェイス４６を介して、入力装置からデータを取得する。また、ＣＰＵ４１は、生成したデータを、入出力インターフェイス４６を介して出力装置へ出力する。
【０１１２】
メディアインターフェイス４７は、記録媒体４８に格納されたプログラムまたはデータを読み取り、ＲＡＭ４２を介してＣＰＵ４１に提供する。ＣＰＵ４１は、当該プログラムを、メディアインターフェイス４７を介して記録媒体４８からＲＡＭ４２上にロードし、ロードしたプログラムを実行する。記録媒体４８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１１３】
コンピュータ４０が第１の実施形態における配信装置２０として機能する場合、コンピュータ４０のＣＰＵ４１は、ＲＡＭ４２上にロードされたプログラムを実行することにより、配信コンテンツ記憶部２１、属性情報記憶部２２、取得部２３、測定部２４、および配信部２５の各機能を実現する。また、ＨＤＤ４４には、配信コンテンツ記憶部２１および属性情報記憶部２２内のデータが格納される。
【０１１４】
また、コンピュータ４０が第２の実施形態における配信装置２０として機能する場合、コンピュータ４０のＣＰＵ４１は、ＲＡＭ４２上にロードされたプログラムを実行することにより、取得部２３、配信部２５、観客情報記憶部２６、および履歴情報記憶部２７の各機能を実現する。また、ＨＤＤ４４には、観客情報記憶部２６および履歴情報記憶部２７内のデータが格納される。
【０１１５】
コンピュータ４０のＣＰＵ４１は、これらのプログラムを、記録媒体４８から読み取って実行するが、他の例として、他の装置から、通信回線を介してこれらのプログラムを取得して実行してもよい。
【０１１６】
なお、上記した第１または第２の実施形態では、配信装置２０が１台の装置を用いて実現される例を用いて説明したが、本発明はこれに限られず、配信装置２０内のそれぞれの機能を、複数の装置に分散配置させ、これらの装置が通信回線を介して互いに協調動作して、全体として配信装置２０の機能を実現するように構成してもよい。
【０１１７】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【０１１８】
１２  カメラ
１５  マイク
１７  携帯端末
２０  配信装置
２１  配信コンテンツ記憶部
２２  属性情報記憶部
２３  取得部
２４  測定部
２５  配信部
【図１】
0005955873.tif 000002
【図２】
0005955873.tif 000003
【図３】
0005955873.tif 000004
【図４】
0005955873.tif 000005
【図５】
0005955873.tif 000006
【図６】
0005955873.tif 000007
【図７】
0005955873.tif 000008
【図８】
0005955873.tif 000009
【図９】
0005955873.tif 000010
【図１０】
0005955873.tif 000011
【図１１】
0005955873.tif 000012
【図１２】
0005955873.tif 000013
【図１３】
0005955873.tif 000014